(57)【要約】【課題】露出したネジ部で手指などが傷つけられるようなことがなく安全に使用でき、良好な回転作動性を保持できると共に優れたデザイン性や強度補強性を有する伸縮機構を備えたアウトリガー等の支持部材を提供する。【解決手段】梯子、脚立、作業台、踊り場等の作業用支持構造の側部に取り付けられ、前記作業用支持構造の姿勢を調整するための伸縮機構を備えた支持部材であって、前記作業用支持構造の側部に連結固定される外筒部２４と、外筒部２４内に摺動自在に配設され外筒部２４に対する相対回転が規制される内筒部２５と、外筒部２４内に配設され上端が外筒部２４の上端に設けた軸受部２３に回転自在に枢支されると共に下端が内筒部２５の内周に設けた雌ネジ部２６ａに螺合される回転ネジ軸２０と、回転ネジ軸２０の上端に固定連結され回転ネジ軸２０に回転力を付与する回転力付与部２２とを有して伸縮機構を備えた支持部材１０、１０ａを構成させる。【選択図】　図４
2004131971.tif 000002
【特許請求の範囲】
【請求項１】
梯子、脚立、作業台、踊り場、土留めパネル等の作業用支持構造の側部に取り付けられ、前記作業用支持構造を調整して支持するための伸縮機構を備えた支持部材であって、
前記作業用支持構造の側部に連結固定される外筒部と、前記外筒部内に摺動自在に配設され前記外筒部に対する相対回転が規制される内筒部と、前記外筒部内に配設され上端が前記外筒部の上端に設けた軸受部に回転自在に枢支されると共に下端が前記内筒部の内周に設けた雌ネジ部に螺合される回転ネジ軸と、前記回転ネジ軸の上端に固定連結され前記回転ネジ軸に回転力を付与する回転力付与部とを有することを特徴とする伸縮機構を備えた支持部材。
【請求項２】
梯子、脚立、作業台、踊り場、土留めパネル等の作業用支持構造の側部に取り付けられ、前記作業用支持構造の姿勢を調整するための伸縮機構を備えた支持部材であって、
前記作業用支持構造の側部に連結固定される外筒部と、前記外筒部内に摺動自在に配設され、前記外筒部に対して相対回転可能な内筒部と、前記外筒部内に配設され上端が前記外筒部の内部に連結固定されると共に下端が前記内筒部の内周に設けた雌ネジ部に螺合される固定ネジ軸と、前記内筒部の一端に固定連結され回転力を前記内筒部に付与する回転力付与部とを有することを特徴とする伸縮機構を備えた支持部材。
【請求項３】
前記内筒部の下端側を回転自在に支持する基端部材を有することを特徴とする請求項２に記載の伸縮機構を備えた支持部材。
【請求項４】
前記回転力付与部はハンドル等の手動回転手段により構成されていることを特徴とする請求項１〜３の内いずれか１項に記載の伸縮機構を備えた支持部材。
【請求項５】
前記回転力付与部はモータ等の動力回転手段により構成されていることを特徴とする請求項１〜３の内いずれか１項に記載の伸縮機構を備えた支持部材。
【請求項６】
前記外筒部及び前記内筒部は矩形又は多角形断面を有する角管から構成されることを特徴とする請求項１に記載の伸縮機構を備えた支持部材。
【発明の詳細な説明】
【０００１】
【発明の属する技術分野】
本発明は作業用の梯子や脚立、作業台などを現場の基礎や地盤に据えつける際などにその長さを調整して全体を安定に保持させることのできる伸縮機構を備えた支持部材に関する。
【０００２】
【従来の技術】
建築現場等における柱上作業や屋根作業においては、梯子等の設置面に段差や傾斜等があって水平でないときに梯子の据えつけが不安定になって転倒の危険がある。このため、従来は梯子の下部などを人力で支えたり、梯子等の設置位置を調整可能な保持装置を用いたりして安定保持するようにしている。
例えば特許文献１には、梯子の下端を支持する梯子支持具に左右に伸縮する一組の伸縮アームを設け、その各アームの端部に、内周にネジを形成した縦方向の螺合筒を固定し、その各螺合筒に螺合した高さ調整ネジの各下端に自在継ぎ手を設け、その自在継ぎ手の下面に着地板を取付け、梯子の下端を据える場所が傾斜地、階段地等で梯子の保持位置を調整して全体を水平に保持できるようにした梯子の水平保持装置が記載されている。
【０００３】
【特許文献１】
実開平６−２０８９９号公報
【０００４】
【発明が解決しようとする課題】
しかしながら、上記従来の技術は以下のような課題を有していた。
（１）特許公報１に記載の梯子の水平保持装置は、高さ調整ネジが露出した状態で使用されるために、手指などがこのネジ部に触れてけがをさせるなどの危険性があり、安全性に欠けるという問題があった。
（２）露出したネジ部にペンキ等の塗料片やケレンの際などの泥、ゴミ、ほこり等が付着しやすいために、螺合筒のスムーズな回転が妨げられ、迅速な据えつけができず作業性が悪くなるという問題があった。
（３）水平保持装置の支持分部を矩形状や角形状断面に形成した場合には、高さ調整のための回転動作ができず設置の方向性が決まるような場合があるため、丸形断面のものに限定され、デザイン性や強度の補強性などに欠けるという問題があった。
本発明は上記従来の課題を解決するためになされたもので、その使用時に手指などが露出したネジ部によって傷つけられるようなことがなく安全に使用でき、良好な回転操作性を保持できると共に優れたデザイン性や強度補強性を有する梯子や作業台、土留めパネル等の作業用支持構造に適用される水平調整部材やアウトリガー、支持体等の伸縮機構を備えた支持部材を提供することを目的とする。
【０００５】
【課題を解決するための手段】
上記問題点を解決するためになされた本発明の内、代表的なものの概要を説明すれば以下のようになる。
（１）本発明の伸縮機構を備えた支持部材は、梯子、脚立、作業台、踊り場、土留めパネル等の作業用支持構造の側部に取り付けられ、前記作業用支持構造を調整して支持するための伸縮機構を備えた支持部材であって、前記作業用支持構造の側部に連結固定される外筒部と、前記外筒部内に摺動自在に配設され前記外筒部に対する相対回転が規制される内筒部と、前記外筒部内に配設され上端が前記外筒部の上端に設けた軸受部に回転自在に枢支されると共に下端が前記内筒部の内周に設けた雌ネジ部に螺合される回転ネジ軸と、前記回転ネジ軸の上端に固定連結され前記回転ネジ軸に回転力を付与する回転力付与部とを有する。
建築用足場構造のアウトリガーや土留め工事などの土留めパネルなどをその面上から抑えて支持するための支持体等に適用される支持部材の回転ネジ軸が外筒部内に内蔵されて外部に露出しない状態で保持され、ゴミやほこりがネジ部に付着しないので、動作信頼性やメンテナンス性に優れている。また、手指が不用意にネジ部に触れて作業者を傷つけるようなことがなく、脚立や梯子、作業台など作業用支持構造の据えつけ操作等を安全かつ迅速に行える。
さらに、回転ネジ軸とこれに螺合される内筒部の内周に設けられた雌ネジ部とのネジ構造により外筒部及びこれに嵌合された内筒部を支持すると共に、回転力付与部を介して回転ネジ軸を回転させる。これによって、回転運動を往復運動に変換して外筒部とこれに嵌合された内筒部の全長を調整して、傾斜や段差を有する基礎面等に梯子や作業台などの作業用支持構造を配置する際に、支持部材で支持される梯子などの設定操作を容易にできる。また、回転力付与部が外筒部から突出して配置されているので、このハンドルを回す操作が容易にでき、作業性にも優れている。
さらに、支持部材に横方向から外力がかかっても、外筒部及び内筒部からなる二重構造としているので、曲げに対する十分な耐久性を確保できる。また、筒部の軸方向に作用する圧縮力は回転ネジ軸で受けることになるが、回転ネジ軸の長さを設定することによって容易に座屈することのない圧縮強さを確保することも可能である。
【０００６】
（２）本発明の伸縮機構を備えた支持部材は、梯子、脚立、作業台、踊り場、土留めパネル等の作業用支持構造の側部に取り付けられ、前記作業用支持構造を調整して支持するための伸縮機構を備えた支持部材であって、前記作業用支持構造の側部に連結固定される外筒部と、前記外筒部内に摺動自在に配設され、前記外筒部に対して相対回転可能な内筒部と、前記外筒部内に配設され上端が前記外筒部の内部に連結固定されると共に下端が前記内筒部の内周に設けた雌ネジ部に螺合される固定ネジ軸と、前記内筒部の一端に固定連結され回転力を前記内筒部に付与する回転力付与部とを有している。
これによって、固定ネジ軸が外筒部内に固定配置されてその回転が規制されると共に、外筒部に対して回転可能に嵌合された内筒部を配置し、内筒部の外周に固定されたハンドルなどの回転力付与部を操作して、内筒部を回転させ、固定ネジ軸とこれに螺合される内筒部内周の雌ネジ部からなるネジ機構を用いて支持部材の全長を伸縮させ、支持部材で両翼などが支持される梯子などの姿勢を調整したり、土留めパネルの面を押圧して支持したりできる。
【０００７】
（３）本発明の伸縮機構を備えた支持部材は、前記内筒部の下端側を回転自在に支持する基端部材を備えるようにしてもよい。これによって、作業用支持構造の支持アームや地面などの固定部分に連結又は載置される基端部材とは独立に内筒部を回転させることができる。こうして、固定ネジ軸とこの固定ネジ軸が螺合して支持される内筒部内周の雌ネジ部とを相対的に回転させて、内筒部に嵌合して配置された外筒部を有する支持部材の全長を容易に調整できる。
（４）本発明の伸縮機構を備えた支持部材は、前記回転力付与部をハンドル等の手動回転手段により構成することができ、これによって、ハンドルを動かすための駆動用電源などの有無の条件に制約されることなく容易に作業用支持構造の設定作業を行うことができる。
（５）本発明の伸縮機構を備えた支持部材は、前記回転力付与部をモータ等の動力回転手段により構成することができる。これによって、作業台や梯子などの設定作業の効率化が図られると共に、位置センサなどを取り付けることで支持部材が載置される基礎面の変動に応じて姿勢を自動制御することも可能となる。
（６）本発明の伸縮機構を備えた支持部材は、前記外筒部及び前記内筒部は矩形又は多角形断面を有する角管から構成してもよく、支持部材で支持される梯子などの装置の重量や負荷が大きくなる場合の強度補強などを容易に行うことができると共に、デザインの幅などを拡げることが可能になる。また、外筒部に嵌合される内筒部がその内部で回転しないのでネジ軸に回転力を有効に伝達できる。
【０００８】
【発明の実施の形態】
（実施の形態１）
本発明の実施の形態１に係る伸縮機構を備えた支持部材について図面を参照しながら説明する。
図１は実施の形態１の伸縮機構を備えた支持部材が適用される梯子部を含む作業台の正面図、図２はその平面図、図３は支持部材周囲の拡大断面図、図４は支持部材の一部拡大断面図である。
図１において、１０、１０ａは実施の形態１の伸縮機構を備えた左右一対からなる支持部材、１１は段差等を有した基礎面Ｇ上にそれぞれ立設される支持部材１０、１０ａ間を連結支持してその水平方向の長さを伸縮自在に固定するピン止め手段やボルト締め手段等を備えた水平連結部材、１２はその下端部側が水平連結部材１１に載置されて固定支持される梯子部である。
図３及び図４に示すように支持部材１０、１０ａは、その外周の一部又は全部に雄ネジ部２０ａが形成された回転ネジ軸２０と、回転ネジ軸２０の上端部側に係止ピン２１ａを介して固定された連結部材２１と、連結部材２１の上部にスプリングピンなどの係止具２２ａを介して固定された回転力付与部の一例であるネジ軸回転ハンドル部２２と、連結部材２１を回転自在に軸支する軸受部２３と、軸受部２３がその上端部側に開口部を覆うように取り付けられ回転ネジ軸２０を同心円状にその中心軸部に内蔵させて支持する外筒部２４と、外筒部２４の内壁にその外周側面が嵌合されて摺動自在に配置された内筒部２５と、内筒部２５内にピン止め手段又は溶接手段等により固定され回転ネジ軸２０の雄ネジ部２０ａに螺合される雌ネジ部２６ａを備えたネジ軸支持部２６と、内筒部２５の下端にボルト２７ａを介して固定して取り付けられ段差や凹凸、傾斜を有した基礎面Ｇ等に載置される基端部材２７とを具備している。
【０００９】
水平連結部材１１はスチールやアルミ等の金属材からなり、図２の平面図に示すように矩形状断面を有する２つの長手部材３０、３１が角筒状ケース部材３２内でその一側面同士が当接して互いに摺動可能な状態で収納されている。
この角筒状ケース部材３２の所定位置には穿設されたピン孔３３が設けられ、長手部材３０、３１のそれぞれの内部にはスプリング等の弾性部材３４を介して摺動面から係止ピン３５を突出させるピン係止部３６が設けられている。この係止ピン３５の先端をピン孔３３に嵌合させることによって、長手部材３０、３１を積層状態で固定して、長手部材３０、３１の両端間の長さを所定距離に設定することができる。なお、この角筒状ケース部材３２及び長手部材３０、３１にそれぞれ穿設された係止孔にやボルトやピン等をなどを挿着することで、長手部材３０、３１の両端間の長さを所定距離に設定するようにしてもよい。
水平連結部材１１の長手部材３０、３１のそれぞれの端部には支持部材取り付け用の係止部材３７が配置される。この係止部材３７を介して支持部材１０、１０ａの外筒部２４が固定されて水平連結部材１１の左右に立設させている。
【００１０】
支持部材１０、１０ａはスチールやステンレススチール、アルミ、アルミ合金などの金属材からなる。支持部材１０、１０ａは外筒部２４及び内筒部２５で構成される伸縮筒を有し、外筒部２４に固定された回転ネジ軸２０及び内筒部２５に固定されたネジ軸支持部２６を介して螺合された状態で連結されている。
回転ネジ軸２０は連結部材２１と軸受部２３を介して外筒部２４の中心軸部に回転自在に配置され、その雄ネジ部２０ａは外筒部２４により外部に露出されることなくカバーされている。
ネジ軸回転ハンドル部２２はプラスチックや金属あるいはこれらの複合体などからなり、回転ネジ軸２０に連結部材２１とスプリングピン２２ａを介して固定され、スプリングの弾性力によりピンを嵌合部に押圧させて弾性状体に保持して、ネジ軸回転ハンドル部２２が容易に外れないようにして固定している。
【００１１】
ネジ軸回転ハンドル部２２の握り部分は図２に示すように基部より放射状に径部分が膨出拡大して扁平状又は円環状、矩形状などに形成されている。これにより、回転ネジ軸２０に人力で回転モーメントを付加して、外筒部２４及びこれに嵌合された内筒部２５間の位置設定ができる。
外筒部２４及び内筒部２５はその断面が正方形状や多角形状などの角管で形成され、外筒部２４内に嵌合して収納される内筒部２５の回転が阻止される。これによって、ネジ軸回転ハンドル部２２を回転させたときに、その回転力を回転ネジ軸２０に有効に伝達させることができる。また、外筒部２４及び内筒部２５が平面を有するので、必要に応じてその外部側に補強用のリブ等を取り付けてその強度補強を容易に行うことができる。
基端部材２７は内筒部２５の下端にボルト２７ａ等を介して内筒部２５の軸方向に対してその回転が規制された状態で取り付けられている。
なお、外筒部及び内筒部を円筒状に形成して、固定配置された外筒部に対して内筒部を回転させる場合は、基礎面Ｇに対して固定して載置される基端部材を軸部を介して内筒部の下端に回転可能に取り付けるようにしてもよい。こうして、基礎面Ｇに据えつけられた支持部材の内筒部を外筒部に対して回転させることで内部に収納された回転ネジ軸とこれに螺合するネジ軸支持部２６を介して支持部材の長さ調整を行うこともできる。
【００１２】
以上のように構成された実施の形態１の伸縮機構を備えた支持部材の使用方法について図面を参照しながら説明する。
まず、図１に示すように支持部材１０、１０ａが左右に係止部材３７を介して固定された水平連結部材１１の左右端部間の長さを、建築現場などの作業条件に応じて調整する。
次に、支持部材１０、１０ａの基端部材２７が載置される基礎面Ｇなどの傾斜や段差などに合わせて、支持部材１０、１０ａの先部に配置されたネジ軸回転ハンドル部２２を手で掴んで回転させる。
図３に示すように、ネジ軸回転ハンドル部２２に連結部材２１を介して連結された回転ネジ軸２０の回転により、回転ネジ軸２０の雄ネジ部２０ａに螺合したネジ軸支持部２６を軸方向に押し下げたり押し上げたりして、左右の支持部材１０、１０ａにおける外筒部２４と内筒部２５との相対位置の調節ができる。
こうして、支持部材１０、１０ａのそれぞれの全長を基礎面Ｇの段差や傾斜等の状態に応じて所定の長さに調整して梯子部１２を左右に傾けることなく水平などの安定姿勢に保持させる。
最後に水平連結部材１１上に梯子部１２を係止具などを介して取り付ける。なお、梯子部１２は水平連結部材１１上に予め固定しておいてもよい。
【００１３】
実施の形態１の伸縮機構を備えた支持部材１０、１０ａは以上のように構成されているので以下の作用を有する。
回転ネジ軸２０の雄ネジ部２０ａが外筒部２４内に内蔵されて外部に露出しない状態で保持されるので、ここにゴミやほこりが付着することがなく動作不良など防止できる。
作業者の手指などが雄ネジ部２０ａに触れることがないので、脚立や梯子、作業台などの据えつけを安全かつ迅速に行える。
ネジ軸回転ハンドル部２２を有するので、内筒部２５内に固定されたネジ軸支持部２６と外筒部２４に固定された回転ネジ軸との相対的位置を容易に調整でき、支持部材１０、１０ａによって支持される梯子部１２や作業台などを水平に安定して保持させる際の操作性に優れている。
支持部材１０、１０ａの外筒部２４及び内筒部２５の横断面が矩形状に形成されているので、梯子部１２の重量や負荷が大きくなる場合でもその強度補強を容易に行うことができる。
また、外筒部２４に嵌合される内筒部２５がその内部で回転しないので、ネジ軸回転ハンドル部２２を介して回転ネジ軸２０に回転力を有効に伝達できる。
【００１４】
（実施の形態２）
本発明の実施の形態２に係る伸縮機構を備えた支持部材について図面を参照しながら説明する。
図５（ａ）は実施の形態２の伸縮機構を備えた支持部材であり、図５（ｂ）はその変形例の断面図であり、図６は支持部材の動作を示す説明図である。
図５（ａ）において、４０は実施の形態２の伸縮機構を備えた支持部材、４１は支持部材４０に内蔵保護され雄ネジ部４１ａが外周に形成された固定ネジ軸、４２は固定ネジ軸４１の端部側面に係止金具などを挿入してこれを固定支持するネジ軸固定部、４３はネジ軸固定部４２が係止ピン４２ａを介して取り付けられてその中心部に内蔵される円筒状の外筒部、４４は外筒部４３の内壁に嵌合されて摺動自在に配置され円筒状に形成された内筒部、４５は内筒部４４の上端部側中央に固定され固定ネジ軸４１の雄ネジ部４１ａに螺合される雌ネジ部４５ａを備えたネジ軸支持部、４６は内筒部４４の下端に固定され周囲に拡径して設けられた回転力付与部の一例である内筒部回転ハンドル部、４７は軸部４７ａを介して内筒部４４に対して回転自在に取り付けられた基端部材である。
【００１５】
なお、図５（ｂ）に示す支持部材４０ａは支持部材４０の変形例であって、ネジ軸固定部４２をその下端で固定係止する円筒管４３ａと内筒部４４の直径を同径として円筒状カバー４３ｂの中で摺動可能に同軸に配置して、円筒状カバー４３ｂを円筒管４３ａに固定して外筒部としている。
なお、円筒状カバー４３ｂを溶接やピン止めなどで固定することなく円筒管４３ａと内筒部４４の周囲に摺動できるように配置して用いることもできる。
実施の形態２の伸縮機構を備えた支持部材４０、４０ａは、外筒部４３及び内筒部４４の断面形状を円形にしている点と、外筒部に内蔵されるネジ軸の回転をネジ軸固定部４２で固定すると共に内筒部４４を内筒部回転ハンドル部４６を介して回転させてその長さを調整できるようにしている点とで、実施の形態１の支持部材１０、１０ａと異なっている。なお、素材等のその他の構成は同様のものを適用できる。
【００１６】
実施の形態２の支持部材４０、４０ａは、実施の形態１と同様に左右一対が水平連結部材などを介して互いの接合距離が伸縮自在又は所定の長さで固定され、基礎面Ｇに対して立設される状態で用いられる。
外筒部４３の側面部には図示しない係止部材が設けられて、水平連結部材などに固定され、これによって、外筒部４３の軸方向の回転が規制されるようになっている。一方、内筒部４４は基端部材４７を介して基礎面Ｇに接地されるが、基端部材４７と内筒部４４の端部側とが軸部４７ａを介して回転自在となっているので、内筒部４４に固定された内筒部回転ハンドル部４６を自在に回すことができる。
こうして、図６に示すように外筒部４３内に固定配置された固定ネジ軸４１に対して内筒部４４に固定されたネジ軸支持部４５を回転させ、外筒部４３内に嵌合された内筒部４４をその長さ方向に摺動させ、梯子などを安定配置させる長さにそれぞれの支持部材４０の長さを調整して固定できる。
【００１７】
また、実施の形態１のように支持部材本体の長さ方向に突出した状態に内筒部に回転を付与するハンドル部が配置されていないので、周囲の装置類などと干渉することが少なく操作性や汎用性に優れている。
例えば図７に示すような立設状態にない支持部材の構成を有する梯子支持装置５０に実施の形態２と同様の構成の支持部材５１、５２を適用することも可能である。なお、以下の説明においては同様の構成を有するものについは同一の符号を付してその説明を省略する。
この図７においては、図５の内筒部４４に回転自在に軸支された基端部材４７と同様の構成の連結具５３の端部を基礎面Ｇ側のアーム部材５４に固定するように配置し、内筒部４４の外周等に固定して取り付けられた内筒部回転ハンドル部４６を把持して回転させる。これによって、外筒部４３に固定して内蔵された固定ネジ軸４１が内筒部４４に固定されたネジ軸支持部４５に対して相対的に回転して、全体長さをそれぞれに伸縮させ梯子両翼の左右の傾きを調整できる。
この場合にも固定ネジ軸４１の雄ネジ部４１ａが外筒部４３内に内蔵されて保持されるので、ゴミやほこりが付着せず動作信頼性やメンテナンス性などに優れると共に、ネジの露出部がないので据えつけ操作等を安全かつ迅速に行うことができる。また、基端部材を外筒部側に取り付けると共に、内筒部の端部を結合部材を介して回転しないように装置の固定アームなどに固定すると共に、回転力付与部となる外筒部回転ハンドル部を外筒部に設けるようにしてもよい。さらに、これらの回転力付与部を支持部材間を連結する水平連結部材や外筒部などに配置した電動モータや空気圧モータ、油圧モータ等の動力回転手段を用いて駆動させることもできる。これによって、梯子や作業台の設置作業における省力化や、設定操作の効率化等が図られる。
【００１８】
（実施の形態３）
本発明の実施の形態３に係る伸縮機構を備えた支持部材について図面を参照しながら説明する。
図８は実施の形態３の伸縮機構を備えた支持部材の断面図である。
図８において、６０は実施の形態３の伸縮機構を備えた支持部材、６１は土留め工事等で壁状に対向して形成された施工面Ｍ、Ｍ’上に配設された一方の土留めパネルＰに固定して載置される支持部材６０の基端部材、６２は基端部材６１にその一端側が軸受部６１ａを介して回転自在に取り付けられる連結部材、６３は連結部材６２の周囲に拡大して取り付けられたネジ軸回転ハンドル部（回転力付与部）、６４はその端部に取り付けられた軸受部６４ａを介して連結部材６２を回転自在に支持する外筒部、６５は外筒部６４に内蔵され連結部材６２の基端側に固定された回転ネジ軸、６６は外筒部６４の内周に摺動自在に嵌合されると共に外筒部６４との相対回転が規制された内筒部、６７は内筒部６６の端部に配設され回転ネジ軸６５の雄ネジ部６５ａに螺合する雌ネジ部６７ａを備えたネジ軸支持部、６８は内筒部６６の他端側に取り付けられ他方の土留めパネルＰ’に載置されてボルト６８ａを介して内筒部６６をパネル面Ｐ’に対して約１８０度の角度範囲内で回動できるようした基端部材である。
なお、外筒部６４及びこれに嵌合される内筒部６６は角筒状に形成されて、その軸方向の相互の回転が規制されていて、ネジ軸回転ハンドル部６３を介して回転力を回転ネジ軸６５に有効に伝達できるようになっている。
【００１９】
実施の形態３の伸縮機構を備えた支持部材６０は以上のように構成されている。これによって、建築工事や河川工事の現場等におけるパネル等の土留め施工体や構造物の支持調整作業を、そのネジ軸回転ハンドル部６３を把持して手動で回転させたり、あるいはモータなどの動力回転手段を用いて駆動させたりして適宜行うことができる。これによって、土留めパネルＰ、Ｐ’に付加される押圧力を所定の圧力に調整して、地盤やパネル等の支持体や支持部材を損傷させることなく適正に保持できる。
外筒部６４を左手で支え、右手でネジ軸回転ハンドル部６３を回せば、外筒部６４とこれに嵌合された内筒部６６との全長を伸縮させて簡単に操作できる。
ネジ部については条条ネジなどの二重ネジを用いるようにすれば、ネジ軸回転ハンドル部６３の回転数を多くしないでも所定の長さに伸び縮みさせることができる。さらに、ネジ部を角形ネジや台形ネジにすれば、大きな力に耐えるものが設定できる。
なお、支持部材６０が適用される土留め工事は、図８に示すようにその土留めパネルが対向して配置されるものだけに限定されるものではない。例えば、支持部材６０一方側の基端部材を基礎面に対して所定角度に立設された土留めパネル上に載置し、他方側の基端部材を基礎面に立設された構造物の支柱や壁等の面に載置又は固定して取り付けることもできる。
【００２０】
【発明の効果】
請求項１に記載の発明によれば、回転ネジ軸の雄ネジ部が外筒部内に内蔵され外部に露出しない状態で保持され、ゴミやほこりが付着しないので、動作信頼性に優れている。また、手指が不用意にネジ部に触れて作業者を傷つけることがなく、脚立や梯子、作業台など作業用支持構造の据えつけ設定作業等を安全かつ迅速に行える。さらに、ネジ部が形成された回転ネジ軸及びこれに螺合されるネジ軸支持部で、外筒部及びこれに嵌合された内筒部を支持すると共に、回転力付与部を把持して回転させることができる。これにより、棒状体とネジ軸支持部とで構成されたネジ機構で回転運動を往復運動に変換してその伸縮長さを調整でき、傾斜や段差を有する基礎面等に梯子や作業台などを配置する際に、支持部材で支持される梯子などを安定に保持させる操作を容易にできる。また、回転力付与部が外筒部から突出して配置されるので、このハンドルを回す操作が容易にでき、作業性に優れている。
【００２１】
請求項２に記載の発明によれば、固定ネジ軸が外筒部に固定されてその回転が規制され、内筒部の外周に固定されたハンドルなどの回転力付与部を把持して操作できるので、伸縮操作を容易に行うことができると共に、長さ方向にハンドルが突出しないので支持部材全体をコンパクトに構成でき、また、固定ネジ軸外筒部に内蔵されているので、固定ネジ軸のネジ部に対するゴミや泥などの付着防止性に優れている。
【００２２】
請求項３に記載の発明によれば、請求項２に記載の伸縮機構を備えた支持部材において、作業用支持構造の支持アームや地面などの固定部分に連結又は載置される基端部材とは独立に内筒部を回転させることができ、固定ネジ軸とこの固定ネジ軸が螺合して支持される内筒部内周の雌ネジ部とを相対回転させて、内筒部に嵌合して配置された外筒部を有する支持部材の全長を容易に調整できる。
【００２３】
請求項４に記載の発明によれば、請求項１〜３の内いずれか１項に記載の伸縮機構を備えた支持部材において、回転力付与部をハンドル等の手動回転手段により構成することができ、ハンドルを動かすための駆動用電源などの有無の条件に制約されることなく容易に作業用支持構造の設定作業を行うことができる。
【００２４】
請求項５に記載の発明によれば、請求項１〜３の内いずれか１項に記載の伸縮機構を備えた支持部材において、前記回転力付与部をモータ等の動力回転手段により構成しているので、作業台や梯子などの設定作業の迅速化、効率化が図られると共に、位置センサなどを取り付けることで支持部材が載置される基礎面の変動に応じて姿勢を自動制御するようなことも可能となる。
【００２５】
請求項６に記載の発明によれば、請求項１に記載の伸縮機構を備えた支持部材において、矩形又は多角形断面を有する外筒部や内筒部が適用でき、支持部材で支持される梯子などの装置の重量や負荷が大きくなる場合の強度補強などを容易に行うことができる。また、外筒部に嵌合される内筒部がその内部で回転しないので、ネジ軸に回転力を有効に伝達できる。
【図面の簡単な説明】
【図１】実施の形態１の伸縮機構を備えた支持部材が適用される作業台の正面図
【図２】その平面図
【図３】支持部材周囲の拡大断面図
【図４】支持部材の一部拡大断面図
【図５】（ａ）実施の形態２の伸縮機構を備えた支持部材の断面図
（ｂ）その変形例の断面図
【図６】支持部材の動作説明図
【図７】実施の形態２の伸縮機構を備えた支持部材の変形例の正面図
【図８】実施の形態３の伸縮機構を備えた支持部材の断面図
【符号の説明】
１０、１０ａ　実施の形態１の伸縮機構を備えた支持部材
１１　水平連結部材
１２　梯子部
２０　回転ネジ軸
２０ａ　雄ネジ部
２１　連結部材
２１ａ　係止ピン
２２　ネジ軸回転ハンドル部（回転力付与部）
２２ａ　係止具（スプリングピン）
２３　軸受部
２４　外筒部
２５　内筒部
２６　ネジ軸支持部
２６ａ　雌ネジ部
２７　基端部材
２７ａ　ボルト
３０、３１　長手部材
３２　角筒状ケース部材
３３　ピン孔
３４　弾性部材
３５　係止ピン
３６　ピン係止部
３７　係止部材
４０　実施の形態２の伸縮機構を備えた支持部材
４１　固定ネジ軸
４１ａ　雄ネジ部
４２　ネジ軸固定部
４２ａ　係止ピン
４３　外筒部
４３ａ　円筒管
４３ｂ　円筒状カバー
４４　内筒部
４５　ネジ軸支持部
４５ａ　雌ネジ部
４６　内筒部回転ハンドル部（回転力付与部）
４７　基端部材
４７ａ　軸部
５０　梯子支持装置
５１、５２　支持部材
５３　連結具
５４　アーム部材
６０　実施の形態３の伸縮機構を備えた支持部材
６１　基端部材
６１ａ　軸受部
６２　連結部材
６３　ネジ軸回転ハンドル部（回転力付与部）
６４　外筒部
６４ａ　軸受部
６５　回転ネジ軸
６５ａ　雄ネジ部
６６　内筒部
６７　ネジ軸支持部
６７ａ　雌ネジ部
６８　基端部材
Ｇ　基礎面
Ｐ、Ｐ’　土留めパネル
Ｍ、Ｍ’　施工面
【図１】
2004131971.tif 000003
【図２】
2004131971.tif 000004
【図３】
2004131971.tif 000005
【図４】
2004131971.tif 000006
【図５】
2004131971.tif 000007
【図６】
2004131971.tif 000008
【図７】
2004131971.tif 000009
【図８】
2004131971.tif 000010